(57)【要約】【課題】どのような映像方式であっても正常に映像に情報を重畳させることが可能な映像出力装置を提供する。【解決手段】入力画像に所定の情報を重畳して出力する情報重畳部と、表示中の映像の表示形式の情報を取得する表示形式取得部と、前記表示形式取得部が取得した表示中の映像の表示形式の情報に基づいて、前記情報重畳部に対して前記入力画像への情報の重畳を制御する重畳制御部と、を備える、映像処理装置が提供される。かかる構成により、どのような映像方式であっても正常に映像に情報を重畳させることが可能となる。【選択図】図７
2011146831.tif 000002
【特許請求の範囲】
【請求項１】
入力画像に所定の情報を重畳して出力する情報重畳部と、
表示中の映像の表示方式の情報を取得する表示方式取得部と、
前記表示方式取得部が取得した表示中の映像の表示方式の情報に基づいて前記情報重畳部による前記入力画像への情報の重畳に関する制御を実行する重畳制御部と、
を備える、映像処理装置。
【請求項２】
前記重畳制御部は、前記表示方式取得部が取得した表示中の映像の表示方式に適合する情報の重畳を前記情報重畳部に対して指示する、請求項１に記載の映像処理装置。
【請求項３】
前記重畳制御部は、前記表示方式取得部が取得した表示中の映像の表示方式がサイドバイサイド方式である場合には、前記情報重畳部に対して同一の情報を左右に並べて重畳するよう指示する、請求項２に記載の映像処理装置。
【請求項４】
前記重畳制御部は、前記表示方式取得部が取得した表示中の映像の表示方式がオーバーアンダー方式である場合には、前記情報重畳部に対して同一の情報を上下に並べて重畳するよう指示する、請求項２に記載の映像処理装置。
【請求項５】
前記重畳制御部は、前記表示方式取得部が取得した表示中の映像の表示方式がフレームシーケンシャル方式である場合には、前記情報重畳部に対して二次元映像に対する情報の重畳と同様に情報を重畳するよう指示する、請求項２に記載の映像処理装置。
【請求項６】
前記重畳制御部は、表示中の映像を二次元映像として表示する指示を送出する、請求項１に記載の映像処理装置。
【請求項７】
前記重畳制御部は、二次元映像として表示される際に正常に重畳された情報が表示されるよう前記情報重畳部に対して前記入力画像への情報の重畳を制御する、請求項６に記載の映像処理装置。
【請求項８】
前記重畳制御部は、前記情報重畳部による情報の重畳が終了したら、二次元映像に変更する前の元の表示方式で表示する指示を送出する、請求項６に記載の映像処理装置。
【請求項９】
入力画像に所定の情報を重畳して出力する情報重畳ステップと、
表示中の映像の表示方式の情報を取得する表示方式取得ステップと、
前記表示方式取得ステップが取得した表示中の映像の表示方式の情報に基づいて前記情報重畳ステップによる前記入力画像への情報の重畳に関する制御を実行する重畳制御ステップと、
を備える、映像制御方法。
【請求項１０】
コンピュータに、
入力画像に所定の情報を重畳して出力する情報重畳ステップと、
表示中の映像の表示方式の情報を取得する表示方式取得ステップと、
前記表示方式取得ステップが取得した表示中の映像の表示方式の情報に基づいて前記情報重畳ステップによる前記入力画像への情報の重畳に関する制御を実行する重畳制御ステップと、
を実行させる、コンピュータプログラム。
【発明の詳細な説明】
【技術分野】
【０００１】
本発明は、映像処理装置、映像制御方法及びコンピュータプログラムに関する。
【背景技術】
【０００２】
三次元（３Ｄ）画像を画面に表示させて視聴者に立体的な映像を楽しんでもらうための３Ｄ放送サービスが、今後広く普及していくことが考えられる。３Ｄ画像の表示方式としては、例えばサイドバイサイド（Ｓｉｄｅ  Ｂｙ  Ｓｉｄｅ；ＳＢＳ）方式、オーバーアンダー（Ｏｖｅｒ−Ｕｎｄｅｒ）方式、フレームシーケンシャル（Ｆｒａｍｅ  Ｓｅｑｕｅｎｔｉａｌ；ＦＳＱ）方式等がある。
【０００３】
サイドバイサイド方式は、画面を左右に分割した状態で映像を伝送する方式であり、サイドバイサイド方式に対応した映像表示装置では左右に分割された画像から立体的な映像を作り出すことができるが、対応していない映像表示装置では右眼用の画像が画面の右側に、左眼用の画像が画面の左側に、それぞれ表示されることになる。オーバーアンダー方式は、画面を上下に分割した状態で映像を伝送する方式であり、サイドバイサイド方式と同様に、オーバーアンダー方式に対応した映像表示装置では上下に分割された画像から立体的な映像を作り出すことができるが、対応していない映像表示装置では同一の画像が上下対称に表示されることになる。
【０００４】
フレームシーケンシャル方式は、右眼用の映像ストリームと左眼用の映像ストリームとを時分割的に順次切り換えて出力する方式である。このようなフレームシーケンシャル方式によって表示される映像は、例えば、いわゆるシャッタ眼鏡を用いた時分割立体映像表示システム（例えば、特許文献１〜３参照）によって、視聴者に立体的な映像として知覚させることができる。
【先行技術文献】
【特許文献】
【０００５】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００６】
テレビやレコーダは、映像に文字や画像を重畳するＯＳＤ（Ｏｎ−Ｓｃｒｅｅｎ  Ｄｉｓｐｌａｙ）機能を有しており、映像上に様々な情報を表示させることができる。しかし、サイドバイサイド方式やオーバーアンダー方式のように、画面を上下や左右等の複数の領域に分割して映像を表示する方式では、ＯＳＤ機能により映像に重畳された文字や画像が分断されてしまう場合がある。特に、レコーダからサイドバイサイド方式やオーバーアンダー方式の映像をテレビに出力する際に、レコーダで重畳した文字や画像がテレビに正常に表示されない問題があった。
【０００７】
映像のソースに、その映像がどのような方式であるかを識別する情報が含まれていれば、レコーダからサイドバイサイド方式やオーバーアンダー方式の映像をテレビに出力する際に、映像の方式を認識して文字や画像の重畳方法を変更したり、テレビから映像方式の情報を受け取り、テレビに対して映像を一時的に二次元映像に変更するよう制御したりすることができる。しかし、現状では映像のソースに方式を識別する情報は含まれていない。ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ｖｅｒ１．４規格には、３Ｄ規格としてサイドバイサイド方式は定義されているが、運用が少ないのが実情であり、放送波に至っては規定自体されていない。またオーバーアンダー方式は、現状の３Ｄ規格には定義自体されていない。従って、現状では映像の方式を識別する手段が存在しないという問題がある。
【０００８】
そこで、本発明は、上記問題に鑑みてなされたものであり、本発明の目的とするところは、どのような映像方式であっても正常に映像に情報を重畳させることが可能な、新規かつ改良された映像処理装置、映像制御方法及びコンピュータプログラムを提供することにある。
【課題を解決するための手段】
【０００９】
上記課題を解決するために、本発明のある観点によれば、入力画像に所定の情報を重畳して出力する情報重畳部と、表示中の映像の表示方式の情報を取得する表示方式取得部と、前記表示方式取得部が取得した表示中の映像の表示方式の情報に基づいて前記情報重畳部による前記入力画像への情報の重畳に関する制御を実行する重畳制御部と、を備える、映像処理装置が提供される。
【００１０】
前記重畳制御部は、前記表示方式取得部が取得した表示中の映像の表示方式に適合する情報の重畳を前記情報重畳部に対して指示してもよい。
【００１１】
前記重畳制御部は、前記表示方式取得部が取得した表示中の映像の表示方式がサイドバイサイド方式である場合には、前記情報重畳部に対して同一の情報を左右に並べて重畳するよう指示してもよい。
【００１２】
前記重畳制御部は、前記表示方式取得部が取得した表示中の映像の表示方式がオーバーアンダー方式である場合には、前記情報重畳部に対して同一の情報を上下に並べて重畳するよう指示してもよい。
【００１３】
前記重畳制御部は、前記表示方式取得部が取得した表示中の映像の表示方式がフレームシーケンシャル方式である場合には、前記情報重畳部に対して二次元映像に対する情報の重畳と同様に情報を重畳するよう指示してもよい。
【００１４】
前記重畳制御部は、表示中の映像を二次元映像として表示する指示を送出してもよい。
【００１５】
前記重畳制御部は、二次元映像として表示される際に正常に重畳された情報が表示されるよう前記情報重畳部に対して前記入力画像への情報の重畳を制御してもよい。
【００１６】
前記重畳制御部は、前記情報重畳部による情報の重畳が終了したら、二次元映像に変更する前の元の表示方式で表示する指示を送出してもよい。
【００１７】
また、上記課題を解決するために、本発明の別の観点によれば、入力画像に所定の情報を重畳して出力する情報重畳ステップと、表示中の映像の表示方式の情報を取得する表示方式取得ステップと、前記表示方式取得ステップが取得した表示中の映像の表示方式の情報に基づいて前記情報重畳ステップによる前記入力画像への情報の重畳に関する制御を実行する重畳制御ステップと、を備える、映像制御方法が提供される。
【００１８】
また、上記課題を解決するために、本発明の別の観点によれば、コンピュータに、入力画像に所定の情報を重畳して出力する情報重畳ステップと、表示中の映像の表示方式の情報を取得する表示方式取得ステップと、前記表示方式取得ステップが取得した表示中の映像の表示方式の情報に基づいて前記情報重畳ステップによる前記入力画像への情報の重畳に関する制御を実行する重畳制御ステップと、を実行させる、コンピュータプログラムが提供される。
【発明の効果】
【００１９】
以上説明したように本発明によれば、どのような映像方式であっても正常に映像に情報を重畳させることが可能な、新規かつ改良された映像出力装置、映像制御方法及びコンピュータプログラムを提供することができる。
【図面の簡単な説明】
【００２０】
【図１】本発明の一実施形態にかかる映像表示システム１０について示す説明図である。
【図２】サイドバイサイド方式で記録されている映像ソースから３Ｄ映像を表示する場合の概要を示す説明図である。
【図３】レコーダ側で重畳された情報がテレビ側で分断されて表示されてしまう場合の一例について示す説明図である。
【図４】本発明の一実施形態にかかるレコーダ１００の機能構成について示す説明図である。
【図５】本発明の一実施形態にかかるレコーダ１００の動作について示す流れ図である。
【図６】本発明の一実施形態にかかる映像方式判定部１６０によるストリームの映像方式の判定手法の一例について示す説明図である。
【図７】本発明の一実施形態にかかるレコーダ１００の機能構成について示す説明図である。
【図８】本発明の一実施形態にかかるレコーダ１００及びテレビ２００の動作について示す流れ図である。
【図９Ａ】映像への情報の重畳例について示す説明図である。
【図９Ｂ】映像への情報の重畳例について示す説明図である。
【図９Ｃ】映像への情報の重畳例について示す説明図である。
【図１０】本発明の一実施形態にかかるレコーダ１００及びテレビ２００の動作について示す流れ図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
＜１．本発明の一実施形態＞
［１−１．映像表示システムの構成例］
［１−２．レコーダの構成例］
［１−３．レコーダの動作］
［１−４．レコーダ及びテレビの機能構成］
［１−５．レコーダ及びテレビの動作］
＜２．まとめ＞
【００２３】
＜１．本発明の一実施形態＞
［１−１．映像表示システムの構成例］
まず、図１を参照して、本発明の一実施形態にかかる映像表示システムの構成例について説明する。図１は、本発明の一実施形態にかかる映像表示システム１０について示す説明図である。図１に示したように、本発明の一実施形態にかかる映像表示システム１０は、レコーダ１００と、テレビ２００と、シャッタ眼鏡３００と、を含んで構成される。
【００２４】
レコーダ１００は、本発明の映像出力装置の一例であり、テレビ２００に表示する映像のソースが保存されるものである。レコーダ１００は、ハードディスク、光ディスク、フラッシュメモリその他の記録媒体に映像ソースを記録し、記録媒体に記録された映像ソースを出力する機能を有する。また、レコーダ１００は映像に文字や画像を重畳するＯＳＤ機能を有すると共に、記録した映像ソースを出力する際に、その映像ソースの映像方式を識別する機能を有する。
【００２５】
テレビ２００は、本発明の映像表示装置の一例であり、放送局から送信される映像や、レコーダ１００から出力される映像を表示するものである。本実施形態にかかるテレビ２００は、シャッタ眼鏡３００を通して映像を視聴した視聴者に、立体的な映像として認識可能な３Ｄ映像を表示することができる映像表示装置である。本実施形態では、レコーダ１００とテレビ２００とはＨＤＭＩケーブルで接続されている。もちろん、本発明ではレコーダ１００とテレビ２００との接続形態はかかる例に限定されない。
【００２６】
サイドバイサイド方式で記録されている映像ソースを例にして、レコーダ１００が出力する映像とテレビ２００で表示する映像との関係を説明する。図２は、サイドバイサイド方式で記録されている映像ソースから３Ｄ映像を表示する場合の概要を示す説明図である。上述したように、サイドバイサイド方式は、画面を左右に分割した状態で映像をテレビへ伝送するものであり、テレビ側では、一つの画像から右目用の映像と左目用の映像が作り出され、右目用の映像と左目用の映像とはそれぞれ時分割表示される。
【００２７】
図２に示した例では、一つの画像Ｐ１を左右に分割し、右側に右目用画像Ｒ１が、左側に左目用画像Ｌ１が、それぞれ表示された画像から、右目用画像Ｒ１と左目用画像Ｌ１とを交互に表示することで立体的な映像として表示する場合を示したものである。
【００２８】
従って、レコーダ側でＯＳＤ機能により情報を映像に重畳すると、情報の重畳位置によっては、重畳した情報がテレビ側で分断されて表示されてしまう。具体的には、分割の境界線に跨ってレコーダ側で情報を重畳すると、重畳した情報がテレビ側で分断されて表示されてしまうことになってしまう。
【００２９】
図３は、レコーダ側で重畳された情報がテレビ側で分断されて表示されてしまう場合の一例について示す説明図である。図３は、一つの画像Ｐ１に、レコーダで「ＥＲＲＯＲ」という文字を映像に重畳してテレビへ出力した場合を示したものである。図３に示したように、右目用画像Ｒ１と左目用画像Ｌ１とに分割する境界線に跨って文字を重畳すると、テレビ側で３Ｄ映像を作り出す際に、その重畳された文字が分断されてしまい、３Ｄ映像をテレビ側で表示する際にレコーダ側で重畳した文字が正確に表示されなくなってしまう。
【００３０】
そこで、本実施形態にかかるレコーダ１００は、出力する映像がどの方式によるものかを画像処理によって判別する機能を有する。かかる識別機能により、レコーダ１００はＯＳＤ機能による情報の重畳方法を変更したり、テレビ２００に対して一時的に３Ｄ映像の表示の停止を指示したりすることができる。
【００３１】
以上、本発明の一実施形態にかかる映像表示システム１０について説明した。次に、本発明の一実施形態にかかるレコーダ１００の機能構成について説明する。
【００３２】
［１−２．レコーダの構成例］
図４は、本発明の一実施形態にかかるレコーダ１００の機能構成について示す説明図である。以下、図４を用いて本発明の一実施形態にかかるレコーダ１００の機能構成について説明する。
【００３３】
図４に示したように、本発明の一実施形態にかかるレコーダ１００は、記録メディア１１０と、デコーダ１２０と、特徴点検出部１３０と、エンコーダ１４０と、特徴点データベース１５０と、映像方式判定部１６０と、出力信号生成部１７０と、を含んで構成される。
【００３４】
記録メディア１１０は、映像ソースが記録される記録媒体であり、記録メディア１１０としては、例えばハードディスクや光ディスク、フラッシュメモリ等の各種記録媒体を用いることができる。記録メディア１１０には、サイドバイサイド方式やオーバーアンダー方式などのように、一つの画面を分割した状態の映像も記録され、これらの方式による映像をテレビ２００に出力することができる。
【００３５】
デコーダ１２０は、記録メディア１１０に記録されている映像ソースをデコードするものである。映像ソースをデコードしたデコーダ１２０は、デコード後の映像音声信号を出力信号生成部１７０へ出力すると共に、映像方式の判定のためにデコード後の映像ストリームを特徴点検出部１３０にも出力する。
【００３６】
特徴点検出部１３０は、デコーダ１２０によってデコードされた映像ストリームに対して、後段の映像方式判定部１６０での映像方式の判定に用いる特徴点を検出する処理を実行するものである。特徴点検出部１３０で検出した特徴点の情報（特徴点情報）は特徴点データベース１５０に保存される。また、特徴点検出後の映像ストリームは特徴点検出部１３０からエンコーダ１４０に送られる。
【００３７】
エンコーダ１４０は、映像ストリームをエンコードして録画用ストリームを生成するものである。エンコーダ１４０がエンコードした録画用ストリームも特徴点データベース１５０に送られる。
【００３８】
特徴点データベース１５０は、特徴点検出部１３０が検出した特徴点情報を時系列で保存するものである。特徴点データベース１５０に時系列で格納される特徴点情報は、後段の映像方式判定部１６０での映像方式の判定処理に用いられる。
【００３９】
映像方式判定部１６０は、特徴点データベース１５０に時系列で保存された特徴点情報を用いて、レコーダ１００から出力しようとしている映像の映像方式を判定するものである。映像方式判定部１６０が判定した映像方式の情報は出力信号生成部１７０に送られる。映像方式判定部１６０での映像方式の判定処理については後に詳述する。
【００４０】
図４に示したように、映像方式判定部１６０は、画素比較部１６２と、表示方式判定部１６４と、を含んで構成される。画素比較部１６２は、特徴点データベース１５０に時系列で保存された特徴点の画素同士を比較して、その特徴点が一致しているかどうかを見るものである。画素比較部１６２における比較結果は表示方式判定部１６４に送られる。表示方式判定部１６４は、画素比較部１６２における比較結果を用いて、デコーダ１２０でデコードされ、レコーダ１００から出力しようとしている映像の映像方式を判定するものである。
【００４１】
出力信号生成部１７０は、デコーダ１２０でデコードされた映像音声信号を用いて、テレビ２００に供給するための出力信号を生成するものである。本実施形態では、出力信号生成部１７０はＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に則った出力信号を生成する。また、出力信号生成部１７０は、映像方式判定部１６０が判定した映像方式の情報も組み込んで出力信号を生成する。
【００４２】
また、出力信号生成部１７０は、デコーダ１２０でデコードされた映像に情報を重畳するＯＳＤ機能を有していても良い。映像に重畳する情報としては、例えば再生中の映像のタイトル、映像の再生時間、映像の再生・一時停止・停止等の情報である。
【００４３】
以上、本発明の一実施形態にかかるレコーダ１００の機能構成について説明した。なお、図４に示したレコーダ１００は、記録メディア１１０に記録されている映像ソースをデコーダ１２０でデコードする構成としているが、本発明はかかる例に限定されない。レコーダ１００は、放送局からの放送波を受信し、受信した放送波をデコーダ１２０でデコードする構成としても良い。次に、本発明の一実施形態にかかるレコーダ１００の動作について説明する。
【００４４】
［１−３．レコーダの動作］
図５は、本発明の一実施形態にかかるレコーダ１００の動作について示す流れ図である。図５は、記録メディア１１０に記録されている映像ソースを再生する際に、再生される映像がどの方式の映像かを映像方式判定部１６０で判定する際の動作について示したものである。以下、図５を用いて本発明の一実施形態にかかるレコーダ１００の動作について説明する。
【００４５】
記録メディア１１０に記録されている映像ソースを再生する際には、まず記録メディア１１０から再生対象の映像ソースが読み出され、デコーダ１２０は記録メディア１１０から読み出された映像ソースをデコードする（ステップＳ１０１）。デコーダ１２０でデコードされたストリームは、特徴点検出部１３０に送られる（ステップＳ１０２）。
【００４６】
特徴点検出部１３０は、デコードされたストリームに対して特徴点を検出する処理を実行する（ステップＳ１０３）。特徴点検出部１３０は、デコードされたストリームの個々の画像に対し特徴点を検出する処理を実行する。なお、特徴点検出部１３０は、処理能力の観点から、デコードされたストリームに対して数フレーム毎、あるいは数秒毎に特徴点を検出する処理を実行してもよい。
【００４７】
特徴点検出部１３０は、個々の画像に対して、例えば隣接する画素間における画素の変化量、特定の色（例えは肌色）の検出、表示されている字幕の検出等を実行し、これらの変化量や分布率をパラメータとすることで、個々の画像の特徴点とする。
【００４８】
特徴点検出部１３０は、検出した特徴点の情報を時系列で特徴点データベース１５０に保存する（ステップＳ１０４）。映像方式判定部１６０は、特徴点データベース１５０に保存された特徴点の情報を逐次監視し（ステップＳ１０５）、デコーダ１２０でデコードされたストリームの映像方式を判定する（ステップＳ１０６）。映像方式判定部１６０がストリームの映像方式を判定すると、映像方式判定部１６０は、その判定の結果を出力信号生成部１７０に出力する。
【００４９】
図６は、本発明の一実施形態にかかる映像方式判定部１６０によるストリームの映像方式の判定手法の一例について示す説明図である。本実施形態では、ストリームの映像方式の判定に際し、映像方式判定部１６０は１つの画面を４つの領域に分割する。図６では、１つの画面Ｐ１を縦方向及び横方向にそれぞれ二等分し、４つの領域Ｑ１、Ｑ２、Ｑ３、Ｑ４に分割した場合を示したものである。
【００５０】
そして、映像方式判定部１６０は、このように４つの領域Ｑ１、Ｑ２、Ｑ３、Ｑ４に分割した後に、領域Ｑ１と領域Ｑ２との間で、及び領域Ｑ１と領域Ｑ３との間で、相対的に位置が一致する画素同士を比較することで、デコーダ１２０でデコードされたストリームの映像方式を判定する。
【００５１】
すなわち、領域Ｑ１と領域Ｑ２との間で相対的に位置が一致する画素同士を比較して共通している場合には、映像方式判定部１６０はデコーダ１２０でデコードされたストリームの映像方式がサイドバイサイド方式であると判定することができる。一方、領域Ｑ１と領域Ｑ３との間で相対的に位置が一致する画素同士を比較して共通している場合には、映像方式判定部１６０はデコーダ１２０でデコードされたストリームの映像方式がオーバーアンダー方式であると判定することができる。
【００５２】
映像方式判定部１６０は、領域間の画素同士を比較する際には、各領域内のすべての画素について比較すれば、判定結果の信頼度を最も高めることができる。しかし、実際には各領域内のすべての画素について比較するのは非常に膨大な処理量となってしまい、判定処理の長時間化を招いてしまう。そこで、上述したように、画像中の特徴点を予め特徴点検出部１３０で検出し、この特徴点がどの領域に存在しているかを映像方式判定部１６０で検出することによって、判定処理に要する時間を短縮することができる。なお、映像方式判定部１６０は、映像方式の判定に際し、特徴点の存在に限らず、各領域における特徴点の時間的遷移を用いても良い。映像方式判定部１６０は、領域Ｑ１と領域Ｑ２との間で特徴点の時間的遷移が同じであればサイドバイサイド方式、領域Ｑ１と領域Ｑ３との間で特徴点の時間的遷移が同じであればオーバーアンダー方式であると判断しても良い。
【００５３】
なお、本実施形態では、映像方式判定部１６０は特徴点データベース１５０に保存された特徴点の情報を用いて映像方式を判定しているが、本発明はかかる例に限定されない。例えば、デコーダ１２０がデコードしたストリームを映像方式判定部１６０に直接供給し、映像方式判定部１６０はデコーダ１２０から直接供給されたストリームを用いて映像方式の判定処理を実行するようにしても良い。
【００５４】
出力信号生成部１７０は、デコーダ１２０がデコードしたストリームを出力する際に、映像方式判定部１６０によるストリームの映像方式の判定結果を付加してテレビ２００へ送信する（ステップＳ１０７）。レコーダ１００からテレビ２００へは、例えばＨＤＭＩを用いてストリームを伝送することができるが、映像方式判定部１６０によるストリームの映像方式の判定結果は、ＨＤＭＩの出力属性としてレコーダ１００からテレビ２００へ伝送することができる。
【００５５】
レコーダ１００からストリームとともに映像方式の判定結果を受けたテレビ２００は、レコーダ１００から伝送されたストリームがどの映像方式であるかを把握することができる。従来においては映像のソースに方式を識別する情報は含まれておらず、映像を表示する側において映像をどのように表示すべきか識別することが出来なかった。しかし、レコーダ１００で映像のソースがどの映像方式で記録されているものであるかを判別することで、テレビ２００はレコーダ１００から伝送されたストリームを用いてどのように映像を表示すべきかを判断することが可能になり、またレコーダ１００では、テレビ２００へ伝送しようとするストリームがどの映像方式であるかを判別することで、ＯＳＤ機能により映像に重畳する情報の重畳形式を適切な形式に変更することができる。
【００５６】
本実施形態では、映像方式判定部１６０は、図６に示したように１つの画像Ｐ１を４つの領域Ｑ１、Ｑ２、Ｑ３、Ｑ４に分割し、領域Ｑ１と領域Ｑ２との間で、及び領域Ｑ１と領域Ｑ３との間で、相対的に位置が一致する画素同士を比較したり、特徴点の変化を追跡したりすることで、デコーダ１２０でデコードされたストリームの映像方式を判定している。
【００５７】
このように、レコーダ１００から出力しようとするストリームに対し、映像方式判定部１６０での映像方式の判定処理を実行する。映像方式判定部１６０による映像方式の判定処理は、画像を上下左右４つの領域に均等に分割し、各領域間で画素の一致性を比較する。具体的には、図６に示したように１つの画像Ｐ１を４つの領域Ｑ１、Ｑ２、Ｑ３、Ｑ４に分割し、領域Ｑ１と領域Ｑ２との間で、及び領域Ｑ１と領域Ｑ３との間で、相対的に位置が一致する画素同士を比較する。
【００５８】
そして、映像方式判定部１６０での判定処理の結果は、レコーダ１００からテレビ２００に伝送される。これにより、レコーダ１００はテレビ２００で表示させようとする映像に対する情報の重畳を制御することが可能になり、テレビ２００はレコーダ１００から伝送される判定処理の結果を参照することで、現在表示している映像がどの映像方式に該当するのかを把握することが可能となる。そして、テレビ２００からは、現在表示している映像がどの映像方式のものかをレコーダ１００に転送することができる。
【００５９】
［１−４．レコーダ及びテレビの機能構成］
次に、レコーダ１００がＯＳＤ機能による情報の重畳を制御したり、テレビ２００に対して映像表示の変更を指示したりするための構成について説明する。図７は、本発明の一実施形態にかかるレコーダ１００及びテレビ２００の機能構成について示す説明図である。以下、図７を用いて本発明の一実施形態にかかるレコーダ１００及びテレビ２００の機能構成について説明する。
【００６０】
図７に示したように、本発明の一実施形態にかかるレコーダ１００は、記録メディア１１０と、デコーダ１２０と、表示状態監視部１８０と、重畳制御部１８５と、ＯＳＤ重畳部１９０と、を含んで構成される。そして、本発明の一実施形態にかかるテレビ２００は、映像処理部２１０と、表示部２２０と、表示状態監視部２３０と、表示制御部２３５と、を含んで構成される。
【００６１】
記録メディア１１０は、上述したように、映像ソースが記録される記録媒体であり、記録メディア１１０としては、例えばハードディスクや光ディスク、フラッシュメモリ等の各種記録媒体を用いることができる。記録メディア１１０には、サイドバイサイド方式やオーバーアンダー方式などのように、一つの画面を分割した状態の映像も記録され、これらの方式による映像をテレビ２００に出力することができる。
【００６２】
デコーダ１２０は、上述したように、記録メディア１１０に記録されている映像ソースをデコードするものである。映像ソースをデコードしたデコーダ１２０は、デコード後の映像音声信号をＯＳＤ重畳部１９０に出力する。
【００６３】
表示状態監視部１８０は、本発明の表示形式取得部の一例であり、テレビ２００が表示部２２０で表示している映像方式の状態を監視し、テレビ２００から取得するものである。具体的には、表示状態監視部１８０は、テレビ２００の表示状態監視部２３０から、表示部２２０で表示している映像方式の種類の情報を受け取り、受け取った映像方式の種類の情報を重畳制御部１８５に送る。
【００６４】
重畳制御部１８５は、表示状態監視部１８０から送られてきた、テレビ２００の表示部２２０で表示している映像方式の種類の情報に基づいて、ＯＳＤ重畳部１９０で重畳する情報の重畳方法を制御するものである。テレビ２００の表示部２２０で表示している映像の映像方式が、従来の二次元（２Ｄ）映像を表示する場合であったり、フレームシーケンシャル方式で三次元映像を表示する場合であったりすれば、情報の重畳位置を変えなくとも、重畳された情報は正しく表示部２２０で表示される。しかし、サイドバイサイド方式やオーバーアンダー方式にレコーダ１００で情報を重畳すると、上述したように重畳した情報が分断されてしまい、重畳した情報を表示部２２０で正しく表示出来ない。従って、重畳制御部１８５は、表示部２２０で表示している映像の映像方式に応じて適切な位置に情報を重畳するようにＯＳＤ重畳部１９０を制御したり、テレビ２００に映像信号の制御情報を伝送して、重畳された情報を正しく表示部２２０で表示するために、一時的に二次元映像に戻すようにテレビ２００の動作を制御したりする機能を有する。
【００６５】
ＯＳＤ重畳部１９０は、必要に応じて、デコーダ１２０でデコードされた映像に文字や画像等の情報をＯＳＤ機能により重畳するものである。ＯＳＤ重畳部１９０は、重畳制御部１８５の制御により、表示部２２０で表示している映像の映像方式に応じた、情報の重畳処理を実行する。ＯＳＤ重畳部１９０で重畳する情報としては、例えば出力する映像のタイトル、出力する映像の再生時間、映像の再生・一時停止・停止等の再生状態、映像に付随して表示される字幕等がある。
【００６６】
ＯＳＤ重畳部１９０は、三次元映像に対して情報を重畳する際に、画像のＺ軸方向、つまり表示部２２０の手前方向及び奥行き方向を考慮した重畳処理を行ってもよく、特に、情報を一番手前に表示するように重畳してもよい。ただし、ＯＳＤ重畳部１９０が重畳しようとする情報がＺ軸方向で極端に手前に飛び出してしまうような場合には、ＯＳＤ重畳部１９０は、情報の重畳処理をキャンセルしてもよい。
【００６７】
映像処理部２１０は、レコーダ１００から伝送されるストリームから表示部２２０に映像を表示するための映像信号を生成して、表示部２２０へ出力するものである。レコーダ１００から伝送されてくるストリームが、二次元映像を表示しようとするものであれば、また三次元映像を表示しようとするものであるがフレームシーケンシャル方式によるものであれば、映像処理部２１０はストリームから映像信号を生成し、適切なタイミングで表示部２２０に出力する。一方、レコーダ１００から伝送されてくるストリームがサイドバイサイド方式やオーバーアンダー方式によるものであり、そのストリームから三次元映像を生成して表示部２２０へ表示しようとする場合には、映像処理部２１０は、レコーダ１００から伝送されるストリームの各フレームから右目用画像と左目用画像を生成し、右目用画像と左目用画像を交互に表示部２２０で表示させるような映像信号を生成する。
【００６８】
レコーダ１００から伝送されてくるストリームがどの映像方式によるものであるかは、上述したような映像方式の判定処理を用いてレコーダ１００で判定し、レコーダ１００からテレビ２００へ伝送することで、テレビ２００側で認識することができる。従って、テレビ２００が複数の映像方式の三次元映像の表示に対応している場合は、テレビ２００は、レコーダ１００から伝送される映像方式の情報を用いて、映像方式に応じた三次元映像の表示が可能になる。また、テレビ２００は、現在表示中の映像の映像方式の情報をレコーダ１００に伝送することができる。
【００６９】
表示部２２０は、映像処理部２１０から送られてくる映像信号に基づいた映像を表示するものである。三次元映像の表示の際は、表示部２２０で右目用映像と左目用映像とを交互に表示し、シャッタ眼鏡３００に設けられた液晶シャッタを、表示部２２０の映像表示のタイミングに合わせて、右目と左目とで交互に開閉させることで、シャッタ眼鏡３００を通して表示部２２０に表示された映像を見た場合に、立体的な映像として見ることができる。
【００７０】
表示状態監視部２３０は、表示部２２０で表示している映像の表示状態を監視するものである。具体的には、表示状態監視部２３０は、映像処理部２１０がどの映像方式で映像信号を処理し、表示部２２０に映像を表示させているかを監視し、その監視結果をレコーダ１００に通知するものである。
【００７１】
表示制御部２３５は、映像処理部２１０に対し、映像信号の処理方法を制御し、表示部２２０で表示している映像の表示方法を変更させるものである。より具体的には、表示制御部２３５は、重畳制御部１８５から伝送されてくる映像信号の制御情報を受け取り、該制御情報に基づいて、映像処理部２１０に対し、映像信号の処理方法の変更を指示する。表示制御部２３５からの変更の指示を受けた映像処理部２１０は、当該指示に基づいて、レコーダ１００から伝送されてくるストリームに対する処理方法を変更する。
【００７２】
以上、図７を用いて本発明の一実施形態にかかるレコーダ１００及びテレビ２００の機能構成について説明した。次に、図７を用いて本発明の一実施形態にかかるレコーダ１００及びテレビ２００の動作について説明する。
【００７３】
［１−５．レコーダ及びテレビの動作］
レコーダ１００で重畳される情報をテレビ２００で正常に表示させるには種々の方法が考えられるが、ここでは、（１）レコーダ１００で情報の重畳方法を制御する方法、（２）レコーダ１００からテレビ２００の表示を制御する方法の２通りの方法について説明する。
【００７４】
まずは、（１）レコーダ１００で情報の重畳方法を制御する方法について説明する。図８は、（１）レコーダ１００で情報の重畳方法を制御する場合における、本発明の一実施形態にかかるレコーダ１００及びテレビ２００の動作について示す流れ図である。以下、図８を用いて本発明の一実施形態にかかるレコーダ１００及びテレビ２００の動作について説明する。
【００７５】
まず、テレビ２００では表示状態監視部２３０において映像信号の処理モードが監視される。映像信号の処理モードとは、映像処理部２１０が映像信号をどの映像方式で処理するかを決めるものである。本実施形態では、映像信号の処理モードとして以下のモードを規定する。
（１）３Ｄ（フレームシーケンシャル）モード
（２）サイドバイサイドモード
（３）オーバーアンダーモード
（４）２Ｄモード
（５）擬似３Ｄモード
【００７６】
（１）３Ｄ（フレームシーケンシャル）モードは、映像処理部２１０において映像信号をフレームシーケンシャル方式で処理するモードである。レコーダ１００から伝送されてくるフレームシーケンシャル方式のストリームに対して信号処理を実行し、適切なタイミングで表示部２２０に映像信号を伝送することで、表示部２２０に右目用映像と左目用映像を交互に表示させることができる。
【００７７】
（２）サイドバイサイドモードは、映像処理部２１０において映像信号をサイドバイサイド方式で処理するモードである。レコーダ１００から伝送されてくるサイドバイサイド方式のストリームに対して信号処理を実行して右目用映像と左目用映像を作り出し、適切なタイミングで表示部２２０に映像信号を伝送することで、表示部２２０に右目用映像と左目用映像を交互に表示させることができる。
【００７８】
（３）オーバーアンダーモードは、映像処理部２１０において映像信号をオーバーアンダーモード方式で処理するモードである。レコーダ１００から伝送されてくるオーバーアンダーモード方式のストリームに対して信号処理を実行して右目用映像と左目用映像を作り出し、適切なタイミングで表示部２２０に映像信号を伝送することで、表示部２２０に右目用映像と左目用映像を交互に表示させることができる。
【００７９】
（４）２Ｄモードは、表示部２２０に表示する映像を二次元映像とするように映像処理部２１０において映像信号を処理するモードである。この２Ｄモードは、元々二次元映像としてレコーダ１００から伝送されてくるストリームを二次元映像としてそのまま表示部２２０に表示する信号処理と、三次元映像としてレコーダ１００から伝送されてくるストリームを二次元映像として強制的に表示部２２０に表示する信号処理とが含まれる。この二次元映像として強制的に表示部２２０に表示する信号処理は、レコーダ１００からは三次元映像として表示するためのストリームがテレビ２００に伝送されてきても、テレビ２００のユーザが三次元映像ではなく二次元映像として映像を見たい場合を考慮したものである。
【００８０】
（５）擬似３Ｄモードは、二次元映像から擬似的に三次元映像を作り出して表示部２２０に表示するように映像信号を処理するモードである。擬似３Ｄモードにより、映像処理部２１０は映像のソースが二次元映像であっても擬似的に三次元映像を作り出して表示部２２０に表示させることができる。なお、二次元映像から擬似的に三次元映像を作り出す方法については様々な方法が提案されているが、本発明と直接関係無いのでここでは詳細な説明は割愛する。
【００８１】
映像処理部２１０は、上述した５つの処理モードの内、いずれか一つの処理モードで動作して信号処理を実行する。そして、表示状態監視部２３０は映像処理部２１０がどの処理モードで動作して信号処理を実行しているかを監視する。そして表示状態監視部２３０は、映像処理部２１０の処理モードの情報をレコーダ１００に伝送する（ステップＳ１１１）。表示状態監視部２３０は、例えば、（１）３Ｄ（フレームシーケンシャル）モードの場合は、レコーダ１００から映像方式の情報が伝送されたタイミングで映像処理部２１０の処理モードの情報をレコーダ１００に伝送してもよく、（２）サイドバイサイドモードや（３）オーバーアンダーモードの場合は、レコーダ１００から映像方式の情報が伝送されたタイミングの他に、テレビ２００のユーザが三次元映像を表示部２２０に表示するようにテレビ２００に対して指示したタイミングで、映像処理部２１０の処理モードの情報をレコーダ１００に伝送してもよい。
【００８２】
表示状態監視部２３０から伝送されてくる映像処理部２１０の処理モードの情報は、表示状態監視部１８０が例えばＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）経由で受け取る。映像処理部２１０の処理モードの情報を受け取った表示状態監視部１８０は、受け取った映像処理部２１０の処理モードの情報を重畳制御部１８５に通知する（ステップＳ１１２）。
【００８３】
上記ステップＳ１１２で、表示状態監視部１８０から映像処理部２１０の処理モードの情報を受け取った重畳制御部１８５は、その映像処理部２１０の処理モードに応じて、ＯＳＤ重畳部１９０における重畳処理をＯＳＤ重畳部１９０に対して設定する（ステップＳ１１３）。
【００８４】
重畳制御部１８５による重畳処理の設定について一例を挙げて説明する。テレビ２００からの処理モードの伝送により、現在、テレビ２００で二次元映像を表示していることが判別できた場合には、重畳制御部１８５はＯＳＤ重畳部１９０に対し、通常の重畳処理で情報を映像に重畳するように制御する。つまり、テレビ２００で二次元映像を表示している場合には、重畳制御部１８５はフォントや座標を変更せずに重畳するようにＯＳＤ重畳部１９０を制御する。また、現在、テレビ２００でフレームシーケンシャル方式によって三次元映像を表示していることが判別できた場合にも、重畳制御部１８５はＯＳＤ重畳部１９０に対し、通常の重畳処理で情報を映像に重畳するように制御する。
【００８５】
図９Ａは、テレビ２００で二次元映像を表示している場合、及びフレームシーケンシャル方式によって三次元映像を表示している場合における、ＯＳＤ重畳部１９０による映像への情報の重畳例について示す説明図である。図９Ａに示したように、テレビ２００で二次元映像を表示している場合、及びフレームシーケンシャル方式によって三次元映像を表示している場合には、重畳制御部１８５は、ＯＳＤ重畳部１９０に対し、画像Ｐ１に「ＥＲＲＯＲ」という文字からなる情報Ｔ１を重畳するように制御する。
【００８６】
しかし、テレビ２００からの処理モードの伝送により、現在、テレビ２００でサイドバイサイド方式によって三次元映像を表示していることが判別できた場合には、重畳制御部１８５はＯＳＤ重畳部１９０に対し、サイドバイサイド方式に適した重畳処理で情報を映像に重畳するように制御する。すなわち、テレビ２００でサイドバイサイド方式によって三次元映像を表示している場合には、重畳制御部１８５はフォントや座標を変更し、情報を左右に並べて重畳するようにＯＳＤ重畳部１９０を制御する。
【００８７】
図９Ｂは、テレビ２００でサイドバイサイド方式によって三次元映像を表示している場合における、ＯＳＤ重畳部１９０による映像への情報の重畳例について示す説明図である。図９Ｂに示したように、テレビ２００でサイドバイサイド方式によって三次元映像を表示している場合には、重畳制御部１８５は、ＯＳＤ重畳部１９０に対し、右目用画像Ｒ２及び左目用画像Ｌ２が分割した状態で含まれる画像Ｐ２に「ＥＲＲＯＲ」という文字からなる情報Ｔ２を重畳するように制御する。
【００８８】
同様に、現在、テレビ２００でオーバーアンダー方式によって三次元映像を表示していることが判別できた場合には、重畳制御部１８５はＯＳＤ重畳部１９０に対し、オーバーアンダー方式に適した重畳処理で情報を映像に重畳するように制御する。すなわち、テレビ２００でオーバーアンダー方式によって三次元映像を表示している場合には、重畳制御部１８５はフォントや座標を変更し、情報を上下に並べて重畳するようにＯＳＤ重畳部１９０を制御する。
【００８９】
図９Ｃは、テレビ２００でオーバーアンダー方式によって三次元映像を表示している場合における、ＯＳＤ重畳部１９０による映像への情報の重畳例について示す説明図である。図９Ｃに示したように、テレビ２００でオーバーアンダー方式によって三次元映像を表示している場合には、重畳制御部１８５は、ＯＳＤ重畳部１９０に対し、右目用画像Ｒ３及び左目用画像Ｌ３が分割した状態で含まれる画像Ｐ３に「ＥＲＲＯＲ」という文字からなる情報Ｔ３を重畳するように制御する。
【００９０】
このように、表示状態監視部１８０から映像処理部２１０の処理モードの情報を受け取った重畳制御部１８５は、その映像処理部２１０の処理モードに応じて、ＯＳＤ重畳部１９０における重畳処理をＯＳＤ重畳部１９０に対して設定することができる。映像処理部２１０の処理モードに応じて、ＯＳＤ重畳部１９０における重畳処理をＯＳＤ重畳部１９０に対して設定することで、適切にＯＳＤ重畳部１９０で情報を映像に重畳し、重畳された映像を正常にテレビ２００で出力させることができる。
【００９１】
上記ステップＳ１１３において、映像処理部２１０の処理モードに応じて、重畳制御部１８５がＯＳＤ重畳部１９０における重畳処理をＯＳＤ重畳部１９０に対して設定すると、ＯＳＤ重畳部１９０は、重畳制御部１８５によって設定された重畳処理に基づいて情報を重畳する（ステップＳ１１４）。
【００９２】
上記ステップＳ１１４において、重畳制御部１８５によって設定された重畳処理に基づいてＯＳＤ重畳部１９０が情報を重畳すると、レコーダ１００は情報が重畳された映像をテレビ２００へ伝送する（ステップＳ１１５）。このように、テレビ２００の処理モードに応じて、レコーダ１００で情報の重畳方法を制御することで、レコーダ１００で重畳された情報をテレビ２００で正常に出力することが可能となる。
【００９３】
以上、図８を用いて、レコーダ１００で情報の重畳方法を制御する場合における、本発明の一実施形態にかかるレコーダ１００及びテレビ２００の動作について説明した。次に、（２）レコーダ１００からテレビ２００の表示を制御する場合における、本発明の一実施形態にかかるレコーダ１００及びテレビ２００の動作について説明する。
【００９４】
図１０は、（２）レコーダ１００からテレビ２００の表示を制御する場合における、本発明の一実施形態にかかるレコーダ１００及びテレビ２００の動作について示す流れ図である。以下、図１０を用いて本発明の一実施形態にかかるレコーダ１００及びテレビ２００の動作について説明する。
【００９５】
まず、テレビ２００では表示状態監視部２３０において、上述したような映像信号の処理モードが監視される。映像処理部２１０は、上述した５つの処理モードの内、いずれか一つの処理モードで動作して信号処理を実行する。そして、表示状態監視部２３０は映像処理部２１０がどの処理モードで動作して信号処理を実行しているかを監視する。そして表示状態監視部２３０は、映像処理部２１０の処理モードの情報をレコーダ１００に伝送する（ステップＳ１２１）。
【００９６】
表示状態監視部２３０から伝送されてくる映像処理部２１０の処理モードの情報は、表示状態監視部１８０が例えばＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）経由で受け取る。映像処理部２１０の処理モードの情報を受け取った表示状態監視部１８０は、受け取った映像処理部２１０の処理モードの情報を重畳制御部１８５に通知する（ステップＳ１２２）。
【００９７】
上記ステップＳ１２２で、表示状態監視部１８０から映像処理部２１０の処理モードの情報を受け取った重畳制御部１８５は、その映像処理部２１０の処理モードに応じて、テレビ２００の処理モードを２Ｄモードに設定する（ステップＳ１２３）。重畳制御部１８５からテレビ２００に対して、テレビ２００の処理モードを２Ｄモードに設定するには、例えばＨＤＭＩ−ＣＥＣ経由で重畳制御部１８５からテレビ２００に対して処理モードの切替要求を出力してもよく、またＨＤＭＩのＩｎｆｏＦｒａｍｅの情報を暫定的に２Ｄとして、レコーダ１００からテレビ２００に出力してもよい。
【００９８】
上記ステップＳ１２３で、重畳制御部１８５がテレビ２００の処理モードを２Ｄモードに設定すると、重畳制御部１８５はＯＳＤ重畳部１９０における重畳処理を、二次元映像に対する重畳処理で実行するように、ＯＳＤ重畳部１９０に対して指示する。重畳制御部１８５からの指示を受けたＯＳＤ重畳部１９０は、二次元映像に対する重畳処理で情報を映像に重畳する（ステップＳ１２４）。
【００９９】
上記ステップＳ１２４で、ＯＳＤ重畳部１９０が二次元映像に対する重畳処理で情報を映像に重畳すると、レコーダ１００は情報が重畳された映像をテレビ２００へ伝送する（ステップＳ１２５）。そして、レコーダ１００での情報の重畳が終了すると、重畳制御部１８５は、テレビ２００の処理モードを２Ｄモードに変更する前の元の処理モードへ戻すようにテレビ２００に指示する（ステップＳ１２６）。なお、テレビ２００の処理モードを２Ｄモードに変更する前の元の処理モードへ戻すように重畳制御部１８５から指示するためには、テレビ２００の処理モードを２Ｄモードへ変更する際に、元の処理モードの情報をレコーダ１００またはテレビ２００で保持しておくことが望ましい。
【０１００】
このように、レコーダ１００で情報を重畳する際に、テレビ２００の処理モードの変更をレコーダ１００から指示し、情報の重畳が完了するとテレビ２００の処理モードを元の処理モードに戻すようにレコーダ１００から制御することで、レコーダ１００で重畳する情報をテレビ２００で正常に表示することが可能となる。
【０１０１】
＜２．まとめ＞
以上説明したように本発明の一実施形態によれば、テレビ２００は映像処理部２１０の処理モードをレコーダ１００に伝送する。テレビ２００から、映像処理部２１０の処理モードが伝送されたレコーダ１００は、レコーダ１００で重畳する情報をテレビ２００で正常に出力するための制御を実行する。具体的には、重畳制御部１８５は、ＯＳＤ重畳部１９０での情報の重畳方法を制御するか、テレビ２００の処理モードを制御する。このように、重畳制御部１８５がレコーダ１００で重畳する情報をテレビ２００で正常に出力するための制御を実行することで、レコーダ１００で映像に重畳する情報を、テレビ２００で正常に出力することが可能となる。
【０１０２】
なお、上述した本発明の一実施形態では、図４に示したように、レコーダ１００の内部に映像方式を判定する構成が設けられていたが、本発明はかかる例に限定されない。すなわち、テレビ２００の内部に図４に示したような映像方式を判定する構成が設けられていても良い。すなわち、テレビ２００が放送局から受信したストリームをデコードした後に、またテレビ２００に接続されているレコーダ１００その他の映像出力装置から映像の伝送を受けた後に、これらの映像に対して、映像方式判定部１６０が実行するような映像方式の判定処理を実行する手段を、テレビ２００の内部に備えることができる。
【０１０３】
また、上述した本発明の一実施形態では、本発明の映像出力装置の一例としてレコーダ１００を挙げて説明したが、本発明はかかる例に限定されないことは言うまでもない。レコーダ１００と同様に映像を出力する機能を有するものであれば、映像出力装置として、例えば据え置き型のゲーム機を用いてもよく、パーソナルコンピュータその他の情報処理装置を用いてもよい。
【０１０４】
また、上述した一連の処理は、ハードウェアによって実行してもよく、ソフトウェアによって実行してもよい。ソフトウェアによって実行する場合には、例えばプログラムが格納された記録媒体をレコーダ１００やテレビ２００に内蔵してもよい。そして、かかるプログラムを、レコーダ１００やテレビ２００に内蔵したＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）その他の制御装置が読み出して順次実行するようにしてもよい。
【０１０５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０６】
例えば、上記実施形態では、立体的な映像を出力する映像表示システム１０を例に挙げて説明したが、本発明はかかる例に限定されない。例えば、時分割シャッタ方式を用いて、複数の対象者に異なる映像を表示する、いわゆるマルチビュー表示を実行する表示装置に本発明をしてもよい。マルチビュー表示は、立体視させる場合とは異なり、所定の期間においては特定のシャッタ眼鏡を通してのみ画像を見ることができるようにシャッタを制御することで、１つの表示装置で複数の画像を表示させることができる。
【０１０７】
また例えば、上記実施形態では、重畳する情報に関わらず、テレビ２００の処理モードを強制的に２Ｄモードとするように重畳制御部１８５で制御したが、本発明はかかる例に限定されない。例えば、三次元状態で表示しても構わない情報と、二次元状態で表示することが望ましい情報とを区別するための情報をレコーダ１００の内部、例えば重畳制御部１８５で保持し、ＯＳＤ重畳部１９０で重畳しようとする情報の内容に応じて、テレビ２００の処理モードを重畳制御部１８５から制御するようにしてもよい。
【産業上の利用可能性】
【０１０８】
本発明は、映像処理装置、映像制御方法及びコンピュータプログラムに適用可能であり、特に複数の画像が時分割で表示される映像を出力する映像処理装置、当該映像の映像制御方法及びコンピュータプログラムに適用可能である。
【符号の説明】
【０１０９】
１０    映像表示システム
１００    レコーダ
１１０    記録メディア
１２０    デコーダ
１３０    特徴点検出部
１４０    エンコーダ
１５０    特徴点データベース
１６０    映像方式判定部
１７０    出力信号生成部
１８０    表示状態監視部
１８５    重畳制御部
１９０    ＯＳＤ重畳部
２００    テレビ
２１０    映像処理部
２２０    表示部
２３０    表示状態監視部
２３５    表示制御部
３００    シャッタ眼鏡
【図１】
2011146831.tif 000003
【図２】
2011146831.tif 000004
【図３】
2011146831.tif 000005
【図４】
2011146831.tif 000006
【図５】
2011146831.tif 000007
【図６】
2011146831.tif 000008
【図７】
2011146831.tif 000009
【図８】
2011146831.tif 000010
【図９Ａ】
2011146831.tif 000011
【図９Ｂ】
2011146831.tif 000012
【図９Ｃ】
2011146831.tif 000013
【図１０】
2011146831.tif 000014